(57)【要約】【課題】取り付けた機器の角度を好適に維持することができる機器取付装置を実現する。【解決手段】機器取付装置１０は、ポータブルナビゲーション装置２０が固定される軸部１が設けられた球体部２の球面に摺接し、その球体部２を回転可能に保持する保持部３を備えているので、その球体部３が支点となるように軸部１を揺動させるようにして、ポータブルナビゲーション装置２０の角度や向きを所望する配置に切り替えることができ、また、そのポータブルナビゲーション装置２０が所望する角度や向きとなった状態で、止め具５の係入突部５ｂを球体部２の穴部２ａに係入させて、球体部２を保持部３に係止することによって、ポータブルナビゲーション装置２０の角度や向きを好適に維持することを可能にした。【選択図】図１
2008195314.tif 000002
【特許請求の範囲】
【請求項１】
所定の機器に一端が固定される軸部と、
前記軸部の他端に設けられる球体部と、
前記球体部の球面に摺接し、前記球体部を回転可能に保持する保持部と、
前記保持部を所望する箇所に取り付けるための取付部と、を備え、
前記球体部の球面には、その球体部の中心に向かって窪み、その開口にＣ面が形成されたディンプル状の複数の穴部が設けられており、前記球体部の中心を挟んで対向しない配置の異なる穴部に係入することで、前記球体部が回転しないように、その球体部を前記保持部に係止する少なくとも２つの止め具を備えることを特徴とする機器取付装置。
【請求項２】
所定の機器に一端が固定される軸部と、
前記軸部の他端に設けられる球体部と、
前記球体部の球面に摺接し、前記球体部を回転可能に保持する保持部と、
前記保持部を所望する箇所に取り付けるための取付部と、を備え、
前記球体部の球面には、その球体部の中心に向かって窪んだ複数の穴部が設けられており、前記穴部に係入することで前記球体部を前記保持部に係止する止め具を備えることを特徴とする機器取付装置。
【請求項３】
前記穴部の開口には、面取りされたＣ面が形成されていることを特徴とする請求項２に記載の機器取付装置。
【請求項４】
前記複数の穴部は、前記球体部の球面にディンプル状に無数に設けられていることを特徴とする請求項２又は３に記載の機器取付装置。
【請求項５】
前記球体部の中心を挟んで対向しない配置の異なる穴部に係入する、少なくとも２つの止め具を備えることを特徴とする請求項２〜４の何れか一項に記載の機器取付装置。
【発明の詳細な説明】
【技術分野】
【０００１】
本発明は、機器取付装置に係り、特に機器を所望する角度に取り付けるための機器取付装置に関する。
【背景技術】
【０００２】
従来、車載用テレビやカーナビゲーションなどの機器を車内に取り付けるための受像機取付具や、プロジェクタや液晶テレビなどの機器を壁面や天井に取り付けるための機器用取付台等の機器取付装置が知られている（例えば、特許文献１、２参照。）。
【０００３】
この従来の機器取付装置は、所定の機器に配設された軸部の先端に設けられた球面部を摺接可能に保持する保持部を有しており、その機器を所望する角度に調節した後に固定ネジやボルト等を締め付けることにより、保持部が球面部をしっかりと保持することで軸部を支持して、機器の姿勢を調節した状態に維持することが可能になっている。
【特許文献１】特開２００２−１４４９７１号公報
【特許文献２】特開２００３−１１０９６６号公報
【発明の開示】
【発明が解決しようとする課題】
【０００４】
しかしながら、上記従来技術の場合、機器の使用環境において生じる振動などの作用によって、固定ネジやボルトなどが緩んでしまうと、球面部が保持部に対して摺動してしまい、機器の角度がずれてしまうことがあるという問題があった。
【０００５】
本発明の目的は、取り付けた機器の角度を好適に維持することができる機器取付装置を提供することである。
【課題を解決するための手段】
【０００６】
以上の課題を解決するため、請求項１に記載の発明は、機器取付装置であって、
所定の機器に一端が固定される軸部と、
前記軸部の他端に設けられる球体部と、
前記球体部の球面に摺接し、前記球体部を回転可能に保持する保持部と、
前記保持部を所望する箇所に取り付けるための取付部と、を備え、
前記球体部の球面には、その球体部の中心に向かって窪み、その開口にＣ面が形成されたディンプル状の複数の穴部が設けられており、前記球体部の中心を挟んで対向しない配置の異なる穴部に係入することで、前記球体部が回転しないように、その球体部を前記保持部に係止する少なくとも２つの止め具を備えることを特徴とする。
【０００７】
請求項２に記載の発明は、機器取付装置であって、
所定の機器に一端が固定される軸部と、
前記軸部の他端に設けられる球体部と、
前記球体部の球面に摺接し、前記球体部を回転可能に保持する保持部と、
前記保持部を所望する箇所に取り付けるための取付部と、を備え、
前記球体部の球面には、その球体部の中心に向かって窪んだ複数の穴部が設けられており、前記穴部に係入することで前記球体部を前記保持部に係止する止め具を備えることを特徴とする。
【０００８】
請求項３に記載の発明は、請求項２に記載の機器取付装置において、
前記穴部の開口には、面取りされたＣ面が形成されていることを特徴とする。
【０００９】
請求項４に記載の発明は、請求項２又は３に記載の機器取付装置において、
前記複数の穴部は、前記球体部の球面にディンプル状に無数に設けられていることを特徴とする。
【００１０】
請求項５に記載の発明は、請求項２〜４の何れか一項に記載の機器取付装置において、
前記球体部の中心を挟んで対向しない配置の異なる穴部に係入する、少なくとも２つの止め具を備えることを特徴とする。
【発明の効果】
【００１１】
請求項１に記載の発明によれば、機器取付装置は、所定の機器が固定される軸部が設けられた球体部の表面である球面に摺接し、その球体部を回転可能に保持する保持部を備えているので、その球体部が支点となるように軸部を揺動させるようにして、機器の角度や向きを所望する配置に切り替えることができる。
そして、その機器が所望する角度や向きとなった状態で、止め具を球体部の穴部に係入させて、その球体部が回転しないように球体部を保持部に係止することによって、軸部に固定された機器をその配置にとどめることができるので、この機器取付装置によって所望する箇所に取り付けられた機器の角度や向きを好適に維持することが可能になる。
【００１２】
また、機器取付装置の球体部の穴部の開口には、その開口の縁が面取りされたＣ面が形成されているので、その開口の間口が広がることとなって、穴部に止め具を係入しやすくなる。
【００１３】
また、機器取付装置の球体部の穴部は、球体部の球面にゴルフボールのディンプル状に無数に設けられているので、止め具を穴部に係入するパターンが多く、その穴部の数に相当する配置に機器の角度調節を行うことができる。
【００１４】
また、機器取付装置における球体部の中心を挟んで対向しない配置の異なる穴部に係入する、少なくとも２つの止め具を備えているので、この機器取付装置の軸部が支持する機器の角度がずれることなく、調節した角度をより好適に維持することが可能になる。
つまり、２つ以上の複数の止め具の軸線方向が異なるように、各止め具を各穴部に係入することができるので、その複数の止め具がそれぞれ穴部に係入された球体部は回転ができない状態になり、調節した機器の角度や向きが変化しないようにすることができる。
【００１５】
請求項２に記載の発明によれば、機器取付装置は、所定の機器が固定される軸部が設けられた球体部の表面である球面に摺接し、その球体部を回転可能に保持する保持部を備えているので、その球体部が支点となるように軸部を揺動させるようにして、機器の角度や向きを所望する配置に切り替えることができる。
そして、その機器が所望する角度や向きとなった状態で、止め具を球体部の穴部に係入させて、その球体部が回転しないように球体部を保持部に係止することによって、軸部に固定された機器をその配置にとどめることができるので、この機器取付装置によって所望する箇所に取り付けられた機器の角度や向きを好適に維持することが可能になる。
【００１６】
請求項３に記載の発明によれば、請求項２に記載の発明と同様の効果が得られることは無論のこと、機器取付装置の球体部の穴部の開口には、その開口の縁が面取りされたＣ面が形成されているので、その開口の間口が広がることとなって、穴部に止め具を係入しやすくなる。
【００１７】
請求項４に記載の発明によれば、請求項２又は３に記載の発明と同様の効果が得られることは無論のこと、機器取付装置の球体部の穴部は、球体部の球面にゴルフボールのディンプル状に無数に設けられているので、止め具を係入するパターンが多く、その穴部の数に相当する配置に機器の角度調節を行うことができる。
【００１８】
請求項５に記載の発明によれば、請求項２〜４の何れか一項に記載の発明と同様の効果が得られることは無論のこと、機器取付装置における球体部の中心を挟んで対向しない配置の異なる穴部に係入する、少なくとも２つの止め具を備えているので、この機器取付装置の軸部が支持する機器の角度がずれることなく、調節した角度をより好適に維持することが可能になる。
つまり、２つ以上の複数の止め具の軸線方向が異なるように、各止め具を各穴部に係入することができるので、その複数の止め具がそれぞれ穴部に係入された球体部は回転ができない状態になり、調節した機器の角度や向きが変化しないようにすることができる。
【発明を実施するための最良の形態】
【００１９】
以下、図を参照して本発明に係る機器取付装置の実施形態を詳細に説明する。なお、発明の範囲は、図示例に限定されない。
本実施の形態では、機器取付装置として、ポータブルナビゲーション装置を車内のダッシュボードに取り付けるための機器取付装置を例示して説明することとする。
【００２０】
機器取付装置１０は、図１に示すように、所定の機器であるポータブルナビゲーション装置２０の背面に設けられた接続部２１に一端が固定された軸部１と、軸部１の他端に設けられた球体部２と、球体部２の表面である球面に摺接してその球体部２を回転可能に保持する保持部３と、保持部３を所望する箇所に取り付けるための取付部４と、保持部３に配されている止め具５等を備えている。
【００２１】
軸部１は、ポータブルナビゲーション装置２０を機器取付装置１０に連結して固定するための部材である。
なお、ポータブルナビゲーション装置２０は、このポータブルナビゲーション装置２０が搭載された車両の現在位置を地図上に示したり、目的地までの経路を表示したりする装置であり、その構成や動作は従来公知のものと同様であるので、ここでは詳述しない。
【００２２】
球体部２は、保持部３に摺接可能に保持されており、球体部２が回転するように向きが切り替わると、軸部１の向きや配置が切り替えられ、軸部１に固定されるポータブルナビゲーション装置２０の向きや角度が切り替わるようになっている。
この球体部２の表面には、図２、図３に示すように、球体部２の中心に向かって窪みが形成されてなる複数の穴部２ａが設けられている。この複数の穴部２ａは、例えば、ゴルフボールのディンプルのように球体部２の球面に無数に設けられている。なお、この穴部２ａの数が、ポータブルナビゲーション装置２０の角度切り替えの数（角度調節数、調節段階数）に相当するので、より細かい角度調節が必要な場合にはより多くの穴部２ａを形成するなど、その機器の用途などに応じて、穴部２ａの数を増減する調整を行えばよい。
また、球体部２に設けられた穴部２ａの円形の開口には、図４に示すように、その開口の径を広げるように、開口の縁が面取りされたＣ面２ｃが形成されている。
【００２３】
保持部３は、球体部２の球面と同じ曲面を有する滑らかな摺接面３ａを備えており、その摺接面３ａが球体部２を包み込むようにして、保持部３が球体部２を保持している。そして、球体部２は、保持部３の摺接面３ａに球面を摺接させるように回転可能に保持されている。
なお、球体部２の球面は凸面状の曲面を有しており、保持部３の摺接面３ａは凹面状の曲面を有している。
【００２４】
また、保持部３には、図３、図５に示すように、保持部３の外面から摺接面３ａに貫通する貫通孔３ｂが形成されており、この貫通孔３ｂに止め具５が備えられている。
止め具５は、図３、図５に示すように、貫通孔３ｂに挿入されるボルト部５ａと、ボルト部５ａの先端に形成された係入突部５ｂと、ボルト部５ａの基端に形成されたツマミ部５ｃとを備えている。
そして、ボルト部５ａが図示しないナットなどを介して貫通孔３ｂ（保持部３）に固定されるようになっている。
そして、止め具５の係入突部５ｂを球体部２の穴部２ａに係入して、止め具５（ボルト部５ａ）を保持部３に固定すると、球体部２が回転しないように、その球体部２を保持部３に係止することができる。
なお、止め具５の係入突部５ｂを球体部２の穴部２ａに係入するように、止め具５のツマミ部５ｃを回すと、保持部３が球体部２を締め付けるようにして球体部２の摺接回動をある程度規制するようになっている。そして、係入突部５ｂが穴部２ａに係入されることで、球体部２の回動が好適に止められるようになっている。
【００２５】
取付部４は、保持部３の底面より広いサイズを有する板状のゴム材であり、その底面側には接着部４ａが設けられている。なお、接着部４ａとしては、糊剤や両面テープ、吸盤などを適用することができ、機器取付装置１０（ポータブルナビゲーション装置２０）を取り付ける箇所に応じて適したものを用いるようにすればよい。
この取付部４をダッシュボードにおける所望する箇所に接着部４ａによって接着して、保持部３をダッシュボードに取り付けることで、そのダッシュボードに機器取付装置１０とともにポータブルナビゲーション装置２０を取り付けることができる。
【００２６】
次に、本発明に係る機器取付装置１０によるポータブルナビゲーション装置２０の角度調節について説明する。
【００２７】
まず、軸部１を介してポータブルナビゲーション装置２０と連結した機器取付装置１０の取付部４をダッシュボードの所望する位置に取り付けて、そのポータブルナビゲーション装置２０をダッシュボードに取り付ける。
【００２８】
次いで、図３に示すように、止め具５を球体部２から離間させるようにして、止め具５の係入突部５ｂを球体部２の穴部２ａから抜いた状態で、ポータブルナビゲーション装置２０が所望する角度や向きとなるように調節する。
つまり、ユーザが、ポータブルナビゲーション装置２０を掴んで、ポータブルナビゲーション装置２０の配置を切り替えるように動かすと、保持部３に摺接保持されて回転する球体部２が支点となって軸部１が揺動して、軸部１に固定支持されているポータブルナビゲーション装置２０の角度や向きが切り替わるようになっている。
【００２９】
そして、ポータブルナビゲーション装置２０が所望する配置となった状態で、止め具５のツマミ部５ｃを回して球体部２を締め付けるとともに、図５に示すように、止め具５の係入突部５ｂを球体部２の穴部２ａに係入させて、その球体部２を保持部３に係止する。
なお、穴部２ａの開口には、その開口の縁が面取りされたＣ面２ｃが形成されているので、穴部２ａに係入突部５ｂを入れやすくなっている。
【００３０】
この係入突部５ｂが穴部２ａに係入することで、球体部２が回転しないようになり、調節したポータブルナビゲーション装置２０の角度が維持されることとなる。
特に、止め具５の係入突部５ｂが球体部２の穴部２ａに係入されているので、走行する車両において生じる複合振動が機器取付装置１０に作用した場合でも、係入突部５ｂが穴部２ａから抜け出てしまうことはなく、そのポータブルナビゲーション装置２０の角度はズレにくくなっており、調節した角度を好適に維持することができる。つまり、振動などの作用によって、止め具５の固定が緩んでしまうことがあっても、穴部２ａから係入突部５ｂが完全に抜け出ることなく、止め具５が球体部２の回動を阻止することが可能になっている。
【００３１】
このように、本発明に係る機器取付装置１０は、所定の機器であるポータブルナビゲーション装置２０を支持する軸部１が設けられた球体部２を摺接回動可能に保持する保持部３を備えているので、その球体部２が支点となるように軸部１を揺動させて、ポータブルナビゲーション装置２０の角度や向きを所望する配置に切り替えることができる。
そして、ポータブルナビゲーション装置２０が所望する角度や向きとなった状態で、止め具５の係入突部５ｂを球体部２の穴部２ａに係入させて、その球体部２が回転しないように球体部２を保持部３に係止することによって、ダッシュボードに取り付けて調節したポータブルナビゲーション装置２０の配置や、角度や向きを好適に維持することが可能になる。
【００３２】
なお、本発明は上記実施形態に限られるものではない。
例えば、図６に示すように、球体部２の中心を挟んで対向しない配置の異なる２つの穴部２ａに係入する２つの止め具５を備える機器取付装置１１であれば、その機器取付装置１１が支持する機器（例えば、ポータブルナビゲーション装置２０）の角度がずれることはなく、調節した角度をより好適に維持することが可能になる。
つまり、各止め具５のボルト部５ａの軸線方向が異なるので、その２つの止め具５の係入突部５ｂが穴部２ａに係入された球体部２は回転ができない状態になっており、調節した機器の角度や向きが変化しないようになっている。
【００３３】
なお、以上の実施の形態においては、機器取付装置１０によりポータブルナビゲーション装置２０をダッシュボードに取り付ける場合を例に挙げて説明したが、本発明はこれに限定されるものではなく、車載用の液晶テレビを機器取付装置１０で取り付けてもよい。
また、機器取付装置１０を車載用の機器の取り付けに用いることに限らず、例えば、家屋の部屋内や店内、または街頭に設置する機器の取り付けに用いるようにしてもよい。
【００３４】
また、その他、具体的な細部構造等についても適宜に変更可能であることは勿論である。
【図面の簡単な説明】
【００３５】
【図１】本発明に係る機器取付装置を示す側面図である。
【図２】機器取付装置の球体部の近傍を示す拡大図である。
【図３】図２のIII−III線における断面図である。
【図４】球体部の穴部を示す拡大断面図である。
【図５】機器取付装置の球体部の近傍を示す断面図である。
【図６】機器取付装置の変形例を示す断面図である。
【符号の説明】
【００３６】
１      軸部
２      球体部
２ａ    穴部
２ｃ    Ｃ面
３      保持部
３ａ    摺接面
３ｂ    貫通孔
４      取付部
４      接着部
５      止め具
５ａ    ボルト部
５ｂ    係入突部
５ｃ    ツマミ部
１０    機器取付装置
１１    機器取付装置
２０    ポータブルナビゲーション装置（機器）
【図１】
2008195314.tif 000003
【図２】
2008195314.tif 000004
【図３】
2008195314.tif 000005
【図４】
2008195314.tif 000006
【図５】
2008195314.tif 000007
【図６】
2008195314.tif 000008